(57)【要約】      （修正有）【課題】構造がシンプルで厚みが薄く、かつ組立時間の短縮を可としたコンピューター用キーボードの改良構造を提供する。【解決手段】コンピューター用キーボードをキー層８、第一配線層６、第二配線層７、仕切り板３で構成する。キー層に数個の標示符号８１を印刷し、薄膜片状である第一配線層に第一の回路を設け、該第一の回路に数個の第一スイッチ接点６１を設け、該第一配線層はキー層の下方に位置する。薄膜片状である第二配線層に第二の回路を設け、該第二の回路に数個の第二スイッチ接点７１を設ける。薄膜片状である仕切り板は第一配線層及び第二配線層の間に位置する。【選択図】図１
0003146009.tif 000002
【実用新案登録請求の範囲】
【請求項１】
キー層、第一配線層、第二配線層、仕切り板からなり、
キー層に数個の標示符号を印刷し、
第一配線層は、薄膜片状であって第一の回路を設け、該第一の回路に数個の第一スイッチ接点を設けると共に第一スイッチ接点の位置をキー層の標示符号と対応させ、且つ該第一配線層はキー層の下方に位置させ、
仕切り板は、薄膜片状であって、該仕切り板に穴を設け、該穴と第一配線層の第一スイッチ接点の位置と対応させ、該仕切り板は第一配線層の下方に位置させ、
第二配線層は、薄膜状であって、第二の回路を設け、該第二の回路に数個の第二スイッチ接点を設けると共に該第二スイッチ接点と第一配線層の第一スイッチ接点の位置と対応させ、また、第二配線層は仕切り板の下方に位置させたことを特徴とするコンピューター用キーボード。
【請求項２】
前記標示符号の周りに図柄を設けたことを特徴とする請求項1記載のコンピューター用キーボード。
【請求項３】
第一配線層、第二配線層、仕切り板からなり、
第一配線層は、薄膜片状であって、第一配線層の一面に標示符号を印刷し、また第一配線層の別面に第一の回路を設け、該第一の回路に数個の第一スイッチ接点を設け、該第一スイッチ接点と表示符号の位置を対応させ、
仕切り板は、薄膜片状であって、該仕切り板に穴を設け、該穴と第一配線層の第一スイッチ接点の位置と対応させ、該仕切り板は第一配線層の下方に位置させ、
第二配線層は、薄膜状であって、第二の回路を設け、該第二の回路に数個の第二スイッチ接点を設け、該第二スイッチ接点と第一配線層の第一スイッチ接点の位置と対応させ、また、第二配線層は仕切り板の下方に位置させたことを特徴とするコンピューター用キーボード。
【請求項４】
前記第一配線層の標示符号の周りに図柄を設けたことを特徴とする請求項3記載のコンピューター用キーボード。
【考案の詳細な説明】
【技術分野】
【０００１】
本考案は、コンピューター用キーボードの改良構造に関し、特に、従来技術の底板による固定が必要なX型連結機構の設置を省略することで、構造がシンプル化し、トータルの厚みが大幅に減少すると同時に、素早く組み立てることのできるコンピューター用キーボードの改良構造に関する。
【背景技術】
【０００２】
公知の台湾特許申請案第200802457号『キーボード構造』のように、該『キーボード構造』は底板を含み、該底板は少なくとも二つの承座を設ける。X型の連結機構に第一連結部品及び第二連結部品を設け、底板の上に設置する。キーに第一滑座及び第二滑座を設け、X型連結機構の上方に位置する。該第一連結部品の一端と底板の承座を固設することで、該第一連結部品の別端とキーの第一滑座が互いに固設し、該第二連結部品の一端と底板の承座と固設し、且つ該第二連結部品の別端とキーの第二滑座を固設することで、該X型連結機構がキーと底板の間に位置する。更に該X型連結機構の下に押す及び元に戻す動作を介し、データを伝送する。該従来技術はデータを伝送できるが、該X型連結機構は機械式であり、底板の承座及びキーの第一連結部品と第二連結部品が無ければ、該X型連結機構を固定することができない。よって、該キー構造の体積の厚みが厚くなり、組み立てが複雑である。該キーを下に押した時、該X型連結機構が下に変位する。キーに力を加えないとき、該X型連結機構は元の位置に戻ることで、騒音が生じやすく、使用が不便であることを鑑みて、底板によりX型連結機構を固定しなくても済む、シンプル且つ厚みを減らした素早く組立てられるものに改善する必要があった。
【特許文献１】特開２００５−１２８８０４号公報
【特許文献１】特開２０００−１７３３９５号公報
【考案の開示】
【考案が解決しようとする課題】
【０００３】
前記公知構造の欠点を解決するため、本考案はコンピューター用キーボードの改良構造を提供することを主な課題とする。
【課題を解決するための手段】
【０００４】
前記課題を解決するために、本考案はコンピューター用キーボードの改良構造を提供するものであり、
キー層、数個の標示符号を印刷している；
第一配線層、薄膜片状である第一配線層に第一の回路を設け、該第一の回路に数個の第一スイッチ接点を設け、該第一スイッチ接点の位置とキー層の標示符号は対応する。第一配線層はキーの下方に位置する；
第二配線層、薄膜片状である第二配線層に第二の回路を設け、該第二の回路に数個の第二スイッチ接点を設ける；
仕切り板、薄膜片状である仕切り板の薄膜に数個の穴を設け、該穴と第一配線層の第一スイッチ接点の位置と対応し、また穴と第二配線層の第二スイッチ接点の位置とも対応する。また、該仕切り板は第一配線層と第二配線層の間に位置し、該仕切り板はキーを元に戻す役割を持つ。
【考案の効果】
【０００５】
本考案は、全体の組成を介し、底板で固定する必要のある従来技術のX型連結機構の設置を排除することで、構造をシンプル化し、同時にトータルの厚みを大幅に減少し、素早く組立てることができる。また、直接第一線路の一面に標示符号を印刷し、該第一線路の別面に第一の回路を設け、該第一の回路に数個の第一スイッチ接点を設けることで、本考案は元の伝送資料の効果を持ちながらも、構造を大幅にシンプル化することができる。
【考案を実施するための最良の形態】
【０００６】
本考案によるコンピューター用キーボードの改良構造を明確に示すため、以下に図に沿って詳細な説明を行う。
【０００７】
図1、図2に示すのは、本考案のコンピューター用キーボードの改良構造であり、その構成はキー層8、第一配線層6、第二配線層7、及び仕切り板3からなる。キー層8に数個の標示符号81が印刷されている。薄膜片状である第一配線層6に第一の回路62を設け、該第一の回路62に数個の第一スイッチ接点61を設け、該第一スイッチ接点61の位置とキー層8の標示符号81を対応させる。第一配線層6は、キー層8の下方に位置する。
薄膜片状である第二配線層7に第二の回路72を設け、該第二の回路72に数個の第二スイッチ接点71を設ける。
薄膜片状である仕切り板3は、第一配線層6及び第二配線層7の間に位置する。該薄膜に数個の穴31を設け、該穴31と第一配線層6の第一スイッチ接点61の位置とを対応させ、また穴31と第二線路7の第二スイッチ接点71の位置とも対応させる。また、該仕切り板3は、キー8に対する操作を復元する機能を持つ。
【０００８】
図1、図3に示すように、該第一配線層6の第一スイッチ接点61及び仕切り板3の穴31の位置は対応し、該仕切り板3の穴31と第二配線層7の第二スイッチ接点71の位置が対応するため、キー層8の表示符号81を押した時、該第一配線層6の第一スイッチ接点61と第二配線層7の第二スイッチ接点71の位置が対応することによってこれらは共に導通(図4を参照)し、データを伝送する。キー層8の標示符号81に力を加えない場合、該仕切り板3の弾性により、キー層8は元の位置にあるため、データの伝送は従来技術のX型連結機構120を押すことで定置に戻る、及び従来技術の底板の承座及びキーの第一滑座と第二滑座など、該X型連結機構装置を固定するものを無くすことができ、騒音も小さくなる。本考案は全体の組合せにより、従来技術のX型連結機構の設置を排除することができ、従来技術のX型連結機構を固定する底板及び、底板の承座と、キーの第一滑座と第二滑座などの固定装置も無くすことができるため、大幅にトータル体積の厚みを薄くすることができ、構造がシンプル化し、直接如何なる硬い平らな物体の上に置いて使用することができる。
【０００９】
図7及び図8に示すように、該キー層8が大面積の印刷エリアを提供することにより、図柄82、83を比較的大きい面積範囲の印刷デザイン及び変化をすることができる。該標示符号81の周りに異なる図柄82、83を印刷しても、元のキーのデータ伝送機能に影響を及ぼすことなく、イキイキとした活発なビジュアルな効果を付与できる。従来技術のキー130の構造は、そのまま作動領域となるため往々にして標示符号が空間的な制限を受けることで、符号と文字が制限を受けた。これに対して、本考案は該キー層8の標示符号81を印刷タイプにすることで、キー層8自身も大面積の印刷エリアを持つため、該キー層8の標示符号81の周囲に異なる形状の図柄82、83を印刷することができる。本考案は元のキーのデータ伝送機能に影響を及ぼすことなく、イキイキとした活発なビジュアル効果を持つことで、図柄82、83の多元化したデザインになる。
【００１０】
図５に示すように、本考案は更に直接該第一配線層6の一面に標示符号81を印刷することができる。該第一配線層6の別面に第一の回路62を設け、該第一の回路62に数個の第一スイッチ接点61を設け、第一スイッチ接点61及び第二配線層7の第二スイッチ接点71の位置を対応させ、且つ該第二スイッチ接点71と仕切り板3の穴31の位置と対応させることで、キー層8の標示符号81を押す時、該第一配線層6の第一スイッチ接点61と第二配線層7の第二スイッチ接点71の位置が互いに対応することで共に導通する(図6を参照)。よって、本考案の構造を大幅にシンプル化し、素早く組立てることができる。
【００１１】
本考案と従来技術を比較すると以下のとおりである。
従来技術：
1.構造部品が多い
2.キーボード構造部品が多く、製造時間がかかる。
3.体積の厚みが厚い。
4.データ伝送時に騒音が発生する。
5.文字表示上の制約がある。
本考案のメリット：
1.構造がシンプル。
2.データ伝送に騒音が発生しない。
3.体積の厚みが大幅に縮小し、重さが軽くなる。
4.製造過程がシンプルであり、組み立てが速い。
5.標示符号の周りの図柄を多元化にできる。
【図面の簡単な説明】
【００１２】
【図１】本考案の分解略図である。
【図２】本考案の立体組立図である。
【図３】本考案の動作前の略図である。
【図４】本考案の動作略図である。
【図５】本考案の第二実施例の動作前略図である。
【図６】図5の動作略図である。
【図７】本考案のキーの標示符号周囲にある図柄の略図である。
【図８】本考案のキーの標示符号周囲にある図柄の再略図である。
【符号の説明】
【００１３】
3仕切り板
31穴
6第一配線層
61第一スイッチ接点
62第一の回路
7第二配線層
71第二スイッチ接点
72第二の回路
8キー層
81標示符号
82図柄
83図柄
【図１】
0003146009.tif 000003
【図２】
0003146009.tif 000004
【図３】
0003146009.tif 000005
【図４】
0003146009.tif 000006
【図５】
0003146009.tif 000007
【図６】
0003146009.tif 000008
【図７】
0003146009.tif 000009
【図８】
0003146009.tif 000010